(57)【要約】【課題】  収納体の昇降範囲を大きくし収納物の取り出しを容易にする昇降式収納体を提供する。【解決手段】  収納体１と、収納体１の側面１ａの両外側に並設されたレール２と、レール２を摺動可能なスライド部３と、一端４ａ、５ａが収納体１の側面１ａに回動可能に取り付けられ他端４ｂ、５ｂがスライド部３に回動可能に取り付けられた複数のリンク４、５を備えた昇降式収納体において、リンク４、５の回動面が互いに異なるように収納体１の幅方向Ｗに間隔をおいてリンク４、５が取り付けられた昇降式収納体とした。【選択図】図１
2005073725.tif 000002
【特許請求の範囲】
【請求項１】
収納体と、前記収納体の側面の両外側に並設されたレールと、前記レールを摺動可能なスライド部と、一端が前記収納体の側面に回動可能に取り付けられ他端が前記スライド部に回動可能に取り付けられた複数のリンクを備えた昇降式収納体において、
前記リンクの回動面が互いに異なるように前記収納体の幅方向に間隔をおいて前記リンクが取り付けられた昇降式収納体。
【請求項２】
前記リンクの回動軸にねじりバネのコイル部が外挿され、前記ねじりバネの一端が当該リンクに固定され、前記ねじりバネの他端が他のリンクの回動軸に取り付けられた請求項１に記載の昇降式収納体。
【請求項３】
前記リンクと前記スライド部及び／又は前記収納体の側面との間、ゴム板が挟まれ、前記リンクと前記ゴム板との少なくとも一方の接触面がリンク回動面に対し傾斜している請求項１又は２に記載の昇降式収納体。
【請求項４】
前記スライド部に略コの字形状の把手が回動可能に取り付けられ、前記収納体の下降完了時に、前記把手が前記収納体の背面を支持する請求項１乃至３のいずれかに記載の昇降式収納体。
【発明の詳細な説明】
【技術分野】
【０００１】
本発明は、収納体にリンクが回動可能に取り付けられ、該リンクにより収納体が昇降可能な昇降式収納体に関する。
【背景技術】
【０００２】
高所に取り付けられた戸棚などにおいては、収納物の出し入れが不便であった。そのため、戸棚内に別個の収納体を設けて、収納体と戸棚の側面とをリンクにて連結させ、リンクの回動によって収納体が昇降可能な昇降式収納体が使用されてきた。リンクが１本であれば回動角度を大きく取れるが、収納体が不安定となり、またリンクの強度が不足することもある。そのため、複数のリンクにより収納体が取り付けられることが多い。
【０００３】
また、棚や天井がリンクの回動の支障とならないように、レールなどにより収納体を前後方向に摺動可能に取り付けられた昇降式収納体があり、例えば、特許文献１に記載された昇降式収納体が知られている。
【特許文献１】実用新案登録公報第２５４６４９３号
【発明の開示】
【発明が解決しようとする課題】
【０００４】
しかしながら、かかる従来の昇降式収納体においては、リンクを複数にしているため、リンク同士が接触しリンクの回動角度が制限されていた。そのため、収納体の昇降範囲が不十分となって、下降時の収納体の位置が十分低くなく収納物の出し入れに困難をきたす点が問題であった。また、リンク自体を長くして収納体の昇降範囲を大きくすることは可能であるが、リンクに掛かるモーメントが大きくなり、収納重量が制限される問題があった。
【０００５】
本発明の目的は、収納体の昇降範囲を大きくし収納物の取り出しを容易にする昇降式収納体を提供することにある。
【課題を解決するための手段】
【０００６】
上記課題を解決するため、鋭意検討した結果、請求項１に記載の発明は、
収納体と、前記収納体の側面の両外側に並設されたレールと、前記レールを摺動可能なスライド部と、一端が前記収納体の側面に回動可能に取り付けられ他端が前記スライド部に回動可能に取り付けられた複数のリンクを備えた昇降式収納体において、
前記リンクの回動面が互いに異なるように前記収納体の幅方向に間隔をおいて前記リンクが取り付けられた昇降式収納体とした。
【０００７】
収納体側面の両側に、それぞれ複数のリンクが取り付けられている。しかも、個々のリンクの回動面が互いに異なるように収納体の幅方向に間隔をおいて取り付けられているので、リンク同士が干渉することなく、リンクの回動角度を大きくとることができる。その結果、収納体をより下方に収納体を下降させることができる。
【０００８】
請求項２に係る発明は、前記リンクの回動軸にねじりバネのコイル部が外挿され、前記ねじりバネの一端が当該リンクに固定され、前記ねじりバネの他端が他のリンクの回動軸に取り付けられた請求項１に記載の昇降式収納体とした。
【０００９】
収納体の下降に伴いリンクが回動すると、ねじりバネによりリンクの回動に対する抵抗力が徐々に増大する。その結果、収納体の急激な下降を抑えることができる。
【００１０】
請求項３に係る発明は、前記リンクと前記スライド部及び／又は前記収納体の側面との間、弾性体板が挟まれ、前記リンクと前記弾性体板との少なくとも一方の接触面がリンク回動面に対し傾斜している請求項１又は２に記載の昇降式収納体とした。
【００１１】
リンクと弾性体板との少なくとも一方の接触面がリンク回動面に対し傾斜しているので、局所的にリンクと弾性体板との摩擦が大きくなり、リンクの回動に対する抵抗力が増大する。その結果、収納体の急激な下降を抑えることができる。また、収納体上昇時に、リンクと弾性体板の接触面が互いに平行になるようにリンク回動面に対して傾斜させておくと、収納体下降時において、リンクと弾性体板との摩擦抵抗が徐々に増大する。その結果、収納体の急激な下降をさらに抑えることができる。
【００１２】
請求項４に係る発明は、前記スライド部に略コの字形状の把手が回動可能に取り付けられ、前記収納体の下降完了時に、前記把手が前記収納体の背面を支持する請求項１乃至３のいずれかに記載の昇降式収納体とした。
【００１３】
回動可能な把手により収納体の背面が支持されるので、下降位置におけるリンクや回動軸などへの負荷を低減することができる。
【発明の効果】
【００１４】
本発明の昇降式収納体は、複数のリンクがその回動面が互いに異なるように収納体の幅方向に間隔をおいて取り付けられているので、回動角度を大きく取ることができる。その結果、収納体の昇降範囲を大きく取ることができより下方に収納体を降下させることができ、収納物の出し入れが容易となる利点がある。
【発明を実施するための最良の形態】
【００１５】
以下、図面を用いて、本発明に係る昇降式収納体の実施形態を説明する。図１は、本発明に係る昇降式収納体の下降状態を示す斜視図である。１は収納体、２はレールであり収納時（上昇時）に収納体１の幅方向Ｗの両側に設けられている。スライド部３はレール２の溝２ａを摺動可能に取り付けられている。
【００１６】
リンク４、５の端部４ａ、５ａは収納体１の側面１ａに回動可能に取り付けられ、他の端部４ｂ、５ｂはスライド部３に回動可能に取り付けられている。そして、リンク４はスライド部３の幅方向Ｗ外側に、リンク５はスライド部３の幅方向Ｗ内側に、それぞれ取り付けられている。したがって、リンク４、５の回動面は互いに異なるので、干渉することなく自由に回動可能である。その結果、リンク４、５の回動角度を大きくとることができ、収納体１をより下方に下降させることができる。
【００１７】
リンク４、５の回動面は互いに異なるため、収納体１の側面１ａに合わせるようにリンク４の端部４ａは突出部４ｃを備えている。また、略コの字形状の把手６がスライド部３に回動可能に取り付けられ、下降時において収納体１の背面を支持する役割も果たしている。なお、昇降式収納体の取り付けは棚板や戸棚の側壁にレール２を取り付けることにより可能である。
【００１８】
次に、収納体１の下降の様子を説明図する。図２（ａ）は、上昇状態における昇降式収納体の一部を示す正面図であり、図２（ｂ）は昇降式収納体の側面図である。スライド部３を挟むようにリンク４、５が幅方向Ｗに間隔をおいて回動可能に取り付けられ、それぞれの回動面Ｓ４、Ｓ５が異なるので、干渉することなく回動可能である。また、ねじりバネ７のコイル部７ａがリンク４の回動軸８ａに外挿され、一端７ｂがリンク４に固定され、他端７ｃはリンク５の回動軸８ｂに固定されている。
【００１９】
また、スライド部３の前後方向Ａの摺動が容易となるように、スライド部３に車輪３ａが溝２ａを摺動するように回転可能に取り付けられている。したがって、収納体１を下降させるときには、先ず把手６によりスライド部３を前方に引き寄せた後、収納体１を下降させる。
【００２０】
図３は、下降途中における昇降式収納体の側面図である。収納体１の下降が始まると、ねじりバネ７のなす角度（７ｂ−７ａ−７ｃが作る角度）が小さくなり、リンク４、５の回動と共に回動に対する抵抗力が増大する。その結果、収納体１の急激な下降を抑えることができる。
【００２１】
図４（ａ）は下降状態における昇降式収納体の一部を示す正面図であり、（ｂ）は昇降式収納体の側面図である。さらに収納体１の下降が完了すると、把手６が収納体１の背面に当接するので、収納体１及び収納物によるリンク４、５や回動軸８ａなどに掛かる負荷を低減することができる。
【００２２】
図５（ａ）、（ｂ）はリンクの回動を制御する弾性体板の取り付けの様子を示す図である。収納体１の側面１ａとリンク４との間に弾性体板９が挟まれている。リンク４と弾性体板９とが互いに接触する接触面４ｓ、９ｓはリンク回動面Ｓ４に対して傾斜している。しかも、上昇時において、接触面４ｓ、９ｓが互いに平行になるように取り付けられている。また、弾性体板９自体の回転を防止するため、図５（ｂ）に示すように弾性体板９は多角形形状（図では６角形）を有し、側面１ａに窪み１ｂを設け、少なくとも弾性体板９の一部が埋め込まれている。
【００２３】
下降時において、リンク４が回動すると接触面４ｓ、９ｓが平行ではなくなる。弾性体板９の弾性力によりリンク４に対する摩擦力が徐々に増大するので、収納体の急激な下降をさらに抑えることができる。なお、弾性体板９は、リンク４、５とスライド部３との間にも設けることもできる。
【００２４】
なお、弾性体はゴムやエラストマーが好適である。また、接触面４ｓ、９ｓのいずれか一方をリンク回動面Ｓ４に対して傾斜させても、局所的にリンク４と弾性体板９との摩擦が大きくなり、リンク４の回動に対する抵抗力が増大する。その結果、収納体の急激な下降を抑えることができる。
【図面の簡単な説明】
【００２５】
【図１】本発明に係る昇降式収納体の下降状態を示す斜視図である。
【図２】（ａ）は上昇状態における昇降式収納体の一部を示す正面図であり、（ｂ）は昇降式収納体の側面図である。
【図３】下降途中における昇降式収納体の側面図である。
【図４】（ａ）は下降状態における昇降式収納体の一部を示す正面図であり、（ｂ）は昇降式収納体の側面図である。
【図５】（ａ）はリンクの回動を制御する弾性体板の取り付けの様子を示す側面図であり、（ｂ）は正面図である。
【符号の説明】
【００２６】
１            収納体
２            レール
３            スライド部
４、５        リンク
６            把手
７            ねじりバネ
９            弾性体板
【図１】
2005073725.tif 000003
【図２】
2005073725.tif 000004
【図３】
2005073725.tif 000005
【図４】
2005073725.tif 000006
【図５】
2005073725.tif 000007